(57)【特許請求の範囲】
【請求項１】
マルチパイロットトーン信号を検出する整合フィルタに対して、当該検出対象のマルチパイロットトーン信号に整合したフィルタを、当該マルチパイロットトーン信号を構成する各パイロットトーン信号に整合したフィルタに分割し、
当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換し、
当該変換されたパイロットトーン信号を加算し、
少なくとも遅延回路および加算器で構成され、前記加算された出力信号に整合した単一の相関検出用フィルタにより、当該加算された出力信号の相関を検出する
ことを特徴とするマルチパイロットトーン検出方法。
【請求項２】
マルチパイロットトーン信号を検出する整合フィルタに対して、当該検出対象のマルチパイロットトーン信号に整合したフィルタを、当該マルチパイロットトーン信号を構成する各パイロットトーン信号に整合したフィルタに分割し、
当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、前記パイロットトーン信号を直流信号へ変換し、
当該変換されたパイロットトーン信号を加算し、
少なくとも遅延回路および加算器で構成され、前記加算された出力信号に整合した単一の相関検出用フィルタにより、当該加算された出力信号の相関を検出する
ことを特徴とするマルチパイロットトーン検出方法。
【請求項３】
マルチパイロットトーン信号を検出する整合フィルタに対して、当該検出対象のマルチパイロットトーン信号に整合したフィルタを、複数のフィルタに分割し、
当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換し、
当該変換されたパイロットトーン信号を加算し、
少なくとも遅延回路および加算器で構成され、前記加算された出力信号に整合した単一の相関検出用フィルタにより、当該加算された出力信号の相関を検出する
ことを特徴とするマルチパイロットトーン検出方法。
【請求項４】
マルチパイロットトーン信号を検出する整合フィルタに対して、当該検出対象のマルチパイロットトーン信号に整合したフィルタを、複数のフィルタに分割し、
当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、前記パイロットトーン信号を直流信号へ変換し、
当該変換されたパイロットトーン信号を加算し、
少なくとも遅延回路および加算器で構成され、前記加算された出力信号に整合した単一の相関検出用フィルタにより、当該加算された出力信号の相関を検出する
ことを特徴とするマルチパイロットトーン検出方法。
【請求項５】
マルチパイロットトーン信号を検出する整合フィルタに対して、当該検出対象のマルチパイロットトーン信号に整合したフィルタを、当該マルチパイロットトーン信号を構成する各パイロットトーン信号に整合したフィルタに分割し、
前記分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換する回路構成を有し、
前記マルチパイロットトーン信号は、前記複数のフィルタのそれぞれへ入力され、前記パイロットトーン信号が分離され、
前記複数のフィルタのそれぞれにより分離された前記パイロットトーン信号は、当該複数のフィルタのそれぞれの後段に当該複数のフィルタのそれぞれに対応させて設けられた乗算器のそれぞれにより同一周波数に変換され、
前記乗算器の後段に設けられた加算器の出力信号に整合した単一の相関検出用フィルタにより、前記パイロットトーン信号の検出を行う回路構成を有する
ことを特徴とする整合フィルタ。
【請求項６】
マルチパイロットトーン信号を検出する整合フィルタに対して、当該検出対象のマルチパイロットトーン信号に整合したフィルタを、複数のフィルタに分割し、
前記分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換する回路構成を有し、
前記マルチパイロットトーン信号は、前記複数のフィルタのそれぞれへ入力され、前記パイロットトーン信号が分離され、
前記複数のフィルタのそれぞれにより分離された前記パイロットトーン信号は、当該複数のフィルタのそれぞれの後段に当該複数のフィルタのそれぞれに対応させて設けられた乗算器のそれぞれにより同一周波数に変換され、
前記乗算器の後段に設けられた加算器の出力信号に整合した単一の相関検出用フィルタにより、前記パイロットトーン信号の検出を行う回路構成を有する
ことを特徴とする整合フィルタ。
【請求項７】
前記周波数変換を行う正弦波信号として前記パイロットトーン信号のそれぞれと同一の周波数を用いる回路構成を有する
ことを特徴とする請求項５または６に記載の整合フィルタ。
【請求項８】
前記乗算器により前記パイロットトーン信号を直流信号へ変換し、前記単一の相関検出用フィルタを少なくとも遅延回路および加算器で構成する回路構成を有する
ことを特徴とする請求項５乃至７のいずれかの請求項に記載の整合フィルタ。
【発明の詳細な説明】
【０００１】
【発明の属する技術分野】
本発明は、マルチパイロットトーン信号を検出する整合フィルタ技術に係り、特にプリアンブル信号がマルチパイロットトーン信号で構成されている場合にフィルタの回路規模を削減することができるマルチパイロットトーン検出方法および整合フィルタに関する。
【０００２】
【従来の技術】
従来、マルチパイロットトーン信号を検出する整合フィルタにおいて、バースト信号を復調するためには、バースト信号の先頭を検出する同期処理が必要となる。多くの場合、同期処理を行いやすくすることを目的として、バースト信号の先頭に固定のプリアンブルを付与することが行われる。プリアンブル信号は各バースト信号で固定であるため、プリアンブル信号に整合したフィルタを使用することにより、プリアンブル検出を行うことができる（第１従来技術）。
【０００３】
また、ＦＩＲフィルタ（Ｆｉｎｉｔｅ  Ｉｍｐｕｌｓｅ  Ｒｅｓｐｏｎｓｅ  Ｆｉｌｔｅｒ：有限インパルス応答型デジタルフィルタ）の回路規模を削減するための従来技術としては、特開平９−９８０６９号公報に記載のものがある（第２従来技術）。すなわち、第２従来技術は、従来のものと同一のフィルタ特性を維持しながらタップ係数処理部の回路規模を縮小したＦＩＲ型ディジタルフィルタを提供することを目的とするものであって、クロックｃｋに同期して入力ディジタル信号を入力しシフトするｍ段からなるシフトレジスタと、シフトレジスタの各段を前段と後段に分割し２倍周波数のクロックｃｋ２により前段の出力と後段の出力とを交互に選択出力するセレクタと、セレクタから交互に入力したシフトレジスタの前段および後段の出力に対しタップ係数処理を行うタップ係数処理部と、タップ係数処理部の出力を一時格納し１クロックｃｋ２タイム遅延して出力する遅延レジスタと、遅延レジスタの出力とタップ係数処理部の出力とを加算してシフトレジスタの全段に対する演算結果を出力する加算器と、加算器からの演算結果をクロックｃｋと同期しフィルタ出力として出力する出力レジスタとを含み、シフトレジスタの各段を前段と後段に分割してタップ係数処理するようにしている。また、タップ係数処理部にはあらかじめ設定されたタップ係数を格納するタップ係数ＲＯＭと、シフトレジスタの各段にそれぞれ対応するセレクタにより交互に選択されたシフトレジスタの前段および後段の出力とタップ係数ＲＯＭからのタップ係数データとを乗算する乗算器と、乗算器の出力を総和する全加算器とを含み、乗算器をシフトレジスタ各段の略半数の段に対応する数としている。また、タップ係数処理部として、シフトレジスタの出力をタップ係数処理することにより得られるべき全ての演算結果を記憶し、シフトレジスタの前段および後段の出力をそれぞれ交互にアドレスとして使用することにより記憶した演算結果を読みだすようにした演算結果ＲＯＭを備えている。
【０００４】
これにより、回路規模が小さいセレクタを使用してシフトレジスタの出力を半数宛乗算のため使用するようにしたことにより、回路規模の大きい乗算器を略半数にし、タップ係数ＲＯＭの記憶容量および全加算器のデータ加算数を大きく減少することができるため、従来技術と同じフィルタ特性を得ることができる上、全体として、回路規模を大きく縮小することができ、その上、回路規模の縮小によりＬＳＩ化にも適するＦＩＲ型ディジタルフィルタを提供することができる。また、あらかじめタップ係数処理を行った結果を演算結果ＲＯＭに記憶しておき、シフトレジスタの出力をそのアドレスとして使用するようにしたため、タップ係数ＲＯＭ、乗算器及び全加算器の全てを削除することができる上、あらかじめ最適な演算結果を算出しておくことができるため、簡単なアドレスの使用による回路構成の簡素化と相俟って、演算処理による劣化が少ないフィルタ特性を出力することができるといった効果が開示されている。
【０００５】
【発明が解決しようとする課題】
しかしながら、プリアンブル信号に整合した上記第１従来技術のフィルタは、一般にＦＩＲフィルタで構成されるが、マルチパイロットトーン信号によるプリアンブルではプリアンブルの時間波形は複雑な波形を有するため、タップ係数を少ないビット数で実現すると、フィルタ出力が急激に劣化する。そのため、タップ係数のビット幅を大きくする必要があり、主信号とタップ係数の乗算を行う乗算器の回路規模を削減することが難しいという問題点があった。さらに、整合フィルタには乗算器が複数使用されることが多く、乗算器の回路規模がフィルタ全体の回路規模を左右するため、マルチパイロットトーン信号に整合したフィルタの回路規模の増大を招くという問題点があった。
【０００６】
また、上記第２従来技術は、ＦＩＲフィルタのタップ係数の対称性を使用するものであり、乗算器の回路規模自体を削減することが難しいという問題点があった。
【０００７】
本発明は斯かる問題点を鑑みてなされたものであり、その目的とするところは、プリアンブル信号がマルチパイロットトーン信号で構成されている場合にフィルタの回路規模を削減することができるマルチパイロットトーン検出方法および整合フィルタを提供する点にある。
【０００８】
【課題を解決するための手段】
請求項１に記載の発明の要旨は、マルチパイロットトーン信号を検出する整合フィルタに対して、当該検出対象のマルチパイロットトーン信号に整合したフィルタを、当該マルチパイロットトーン信号を構成する各パイロットトーン信号に整合したフィルタに分割し、当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換し、当該変換されたパイロットトーン信号を加算し、少なくとも遅延回路および加算器で構成され、前記加算された出力信号に整合した単一の相関検出用フィルタにより、当該加算された出力信号の相関を検出することを特徴とするマルチパイロットトーン検出方法に存する。
また、請求項２に記載の発明の要旨は、マルチパイロットトーン信号を検出する整合フィルタに対して、当該検出対象のマルチパイロットトーン信号に整合したフィルタを、当該マルチパイロットトーン信号を構成する各パイロットトーン信号に整合したフィルタに分割し、当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、前記パイロットトーン信号を直流信号へ変換し、当該変換されたパイロットトーン信号を加算し、少なくとも遅延回路および加算器で構成され、前記加算された出力信号に整合した単一の相関検出用フィルタにより、当該加算された出力信号の相関を検出することを特徴とするマルチパイロットトーン検出方法に存する。
また、請求項３に記載の発明の要旨は、マルチパイロットトーン信号を検出する整合フィルタに対して、当該検出対象のマルチパイロットトーン信号に整合したフィルタを、複数のフィルタに分割し、当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換し、当該変換されたパイロットトーン信号を加算し、少なくとも遅延回路および加算器で構成され、前記加算された出力信号に整合した単一の相関検出用フィルタにより、当該加算された出力信号の相関を検出することを特徴とするマルチパイロットトーン検出方法に存する。
また、請求項４に記載の発明の要旨は、マルチパイロットトーン信号を検出する整合フィルタに対して、当該検出対象のマルチパイロットトーン信号に整合したフィルタを、複数のフィルタに分割し、当該分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、前記パイロットトーン信号を直流信号へ変換し、当該変換されたパイロットトーン信号を加算し、少なくとも遅延回路および加算器で構成され、前記加算された出力信号に整合した単一の相関検出用フィルタにより、当該加算された出力信号の相関を検出することを特徴とするマルチパイロットトーン検出方法に存する。
また、請求項５に記載の発明の要旨は、マルチパイロットトーン信号を検出する整合フィルタに対して、当該検出対象のマルチパイロットトーン信号に整合したフィルタを、当該マルチパイロットトーン信号を構成する各パイロットトーン信号に整合したフィルタに分割し、前記分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換する回路構成を有し、前記マルチパイロットトーン信号は、前記複数のフィルタのそれぞれへ入力され、前記パイロットトーン信号が分離され、前記複数のフィルタのそれぞれにより分離された前記パイロットトーン信号は、当該複数のフィルタのそれぞれの後段に当該複数のフィルタのそれぞれに対応させて設けられた乗算器のそれぞれにより同一周波数に変換され、前記乗算器の後段に設けられた加算器の出力信号に整合した単一の相関検出用フィルタにより、前記パイロットトーン信号の検出を行う回路構成を有することを特徴とする整合フィルタに存する。
また、請求項６に記載の発明の要旨は、マルチパイロットトーン信号を検出する整合フィルタに対して、当該検出対象のマルチパイロットトーン信号に整合したフィルタを、複数のフィルタに分割し、前記分割されたフィルタのそれぞれの出力信号である前記パイロットトーン信号を入力する一の乗算器を当該分割されたフィルタの後段に設け、当該分割されたフィルタのそれぞれにより分離された前記パイロットトーン信号を周波数変換することにより、異なる前記パイロットトーン信号を同一の周波数へ変換する回路構成を有し、前記マルチパイロットトーン信号は、前記複数のフィルタのそれぞれへ入力され、前記パイロットトーン信号が分離され、前記複数のフィルタのそれぞれにより分離された前記パイロットトーン信号は、当該複数のフィルタのそれぞれの後段に当該複数のフィルタのそれぞれに対応させて設けられた乗算器のそれぞれにより同一周波数に変換され、前記乗算器の後段に設けられた加算器の出力信号に整合した単一の相関検出用フィルタにより、前記パイロットトーン信号の検出を行う回路構成を有することを特徴とする整合フィルタに存する。
また、請求項７に記載の発明の要旨は、前記周波数変換を行う正弦波信号として前記パイロットトーン信号のそれぞれと同一の周波数を用いる回路構成を有することを特徴とする請求項５または６に記載の整合フィルタに存する。
また、請求項８に記載の発明の要旨は、前記乗算器により前記パイロットトーン信号を直流信号へ変換し、前記単一の相関検出用フィルタを少なくとも遅延回路および加算器で構成する回路構成を有することを特徴とする請求項５乃至７のいずれかの請求項に記載の整合フィルタに存する。
【０００９】
【発明の実施の形態】
本発明は、マルチパイロットトーン信号の検出に使用するフィルタにおいて、個別のパイロットトーン信号を分離するフィルタを使用することにより、回路規模削減を行うものである。マルチパイロットトーン信号は、フィルタへ入力され、各パイロットトーン信号が分離される。当該フィルタにより分離された各パイロットトーン信号は、乗算器により同一周波数に変換される。乗算器の出力信号は同一周波数であるため、加算器の出力信号もパイロットトーン信号となる。そのため、加算器の出力信号に整合した単一の相関検出用フィルタにより、パイロットトーン信号の検出を行うことができる。
【００１０】
以上の構成により、マルチパイロットトーン信号を検出する整合フィルタにおいて、整合フィルタを共通化することができ、回路規模の削減を実現することができる。以下、本発明の実施の形態を図面に基づいて詳細に説明する。
【００１１】
図１は、本発明の一実施の形態に係るマルチパイロットトーン検出用フィルタ１００を説明するための機能ブロック図である。本実施の形態では、本発明のマルチパイロットトーン検出方法を、バースト信号信号先頭に配置されたマルチパイロットトーン信号３２によるプリアンブル３４（後述）の検出に適用したケースについて説明する。
【００１２】
図１を参照すると本実施の形態においては、マルチパイロットトーン信号３２は、フィルタ１，２，３へ入力され、各パイロットトーン信号３０，…，３０が分離される。フィルタ１，２，３により分離された各パイロットトーン信号３０，…，３０は、乗算器４，５，６により同一周波数に変換される。乗算器４，５，６の出力信号は同一周波数であるため、加算器７の出力信号もパイロットトーン信号３０となる。そのため、加算器７の出力信号に整合した単一の相関検出用フィルタ８により、パイロットトーン信号３０の検出を行うことができる。
【００１３】
以上の構成により、マルチパイロットトーン信号３２を検出するマルチパイロットトーン検出用フィルタ１００において、マルチパイロットトーン検出用フィルタ１００を共通化することができ、回路規模の削減を実現することができる。
【００１４】
プリアンブル検出用のフィルタに入力される受信信号は、所定のフレームフォーマットの信号である。その一例を図２に示す。図２は、フレームフォーマットの一例である。
【００１５】
図２を参照すると、バースト信号の先頭にはマルチパイロットトーン信号３２により構成されるプリアンブル３４が配置され、プリアンブル３４に続いてデータ３６が受信される。プリアンブル３４を構成するマルチパイロットトーン信号３２は、あらかじめ定められた信号であり、すべてのバースト信号の先頭に固定的に配置される。
【００１６】
図１において、マルチパイロットトーン検出用フィルタ１００に入力された受信信号は、マルチパイロットトーン信号３２を構成するパイロットトーン数ｎに等しい数からなるフィルタ１，２，３に入力される。フィルタ１，２，３は、個別のパイロットトーン信号３０のみを出力するために十分な狭帯域フィルタであり、例えばバタワースフィルタによって実現される。
【００１７】
フィルタ１，２，３の出力信号は乗算器４，５，６へ入力される。乗算器４，５，６にはフィルタ１，２，３の出力信号信号と正弦波信号（図中に示す正弦波）が入力され、両者の乗算結果が出力される。だたし、乗算器４，５，６に入力される正弦波信号は、乗算器ごとに異なる周波数をもつものとする。
【００１８】
乗算器４，５，６の出力信号は加算器７に入力され、すべての乗算器出力の加算が行われる。加算器７の出力信号は相関検出用フィルタ８に入力される。相関検出用フィルタ８は、加算器７の出力信号である変換されたパイロットトーン信号３０に整合したフィルタであり、相関検出用フィルタ８により相関検出が行われる。
【００１９】
次に、図１の相関検出用フィルタ８の構成を図３を参照して説明する。図３は、図１の相関検出用フィルタ８の一実施の形態を示す機能ブロック図である。
【００２０】
図３を参照すると、本実施の形態の相関検出用フィルタ８は、第１のフィルタ２４と第２のフィルタ２５から構成される。第１のフィルタ２４は、周波数変換されたパイロットトーン信号３０のみを出力する狭帯域のフィルタであり、例えばバタワースフィルタにより構成される。一方第２のフィルタ２５は、周波数変換されたパイロットトーン信号３０に整合したフィルタである。
【００２１】
次に図３の第２のフィルタ２５の構成を図４を参照して説明する。図４は、図３の第２のフィルタ２５の一実施の形態を示す機能ブロック図である。
【００２２】
本実施の形態では、第２のフィルタ２５として５タップのＦＩＲフィルタを採用したケースについて説明する。図４を参照すると、フィルタ入力信号３８は遅延器９，１０，１１，１２により順次遅延される。乗算器１３，１４，１５，１６，１７は、乗算演算器入力信号と乗算演算器後とに設定されるタップ係数ａ０，ａ１，ａ２，ａ３，ａ４との乗算を行う回路である。
【００２３】
乗算器１３にはフィルタ入力信号３８が入力される。乗算器１４には、遅延器９により１タイムスロットだけ遅延されたフィルタ入力信号３８が入力される。乗算器１５には遅延器１０の出力信号が入力され、遅延器９および遅延器１０により、２タイムスロットだけ遅延されたフィルタ入力信号３８が入力される。
【００２４】
同様に、乗算器１６には、遅延器１１の出力信号である３タイムスロットだけ遅延されたフィルタ入力信号３８が入力される。乗算器１７には、遅延器１２の出力信号である４タイムスロットだけ遅延されたフィルタ入力信号３８が入力される。
【００２５】
乗算器１３，１４，１５，１６，１７にはタップ係数ａ０，ａ１，ａ２，ａ３，ａ４が設定されており、乗算器１３，１４，１５，１６，１７により乗算器１３，１４，１５，１６，１７の入力信号とタップ係数ａ０，ａ１，ａ２，ａ３，ａ４の乗算結果が出力される。加算器１８は、乗算器１３，１４，１５，１６，１７の出力信号が入力され、乗算器１３，１４，１５，１６，１７の出力信号の加算結果をフィルタ出力信号として出力する。
【００２６】
特に、図１において、乗算器４，５，６に入力する正弦波信号として、パイロットトーン信号３０と同一の周波数である正弦波信号を用いた場合、第２のフィルタ２５の構成を簡略化することができる。
【００２７】
簡略化された第２のフィルタ２５の一実施の形態を図５に示す。図５は、簡略化されたサブフィルタの一実施の形態を示す機能ブロック図である。本実施の形態では、図４の場合と同様に、５タップのＦＩＲフィルタを採用した場合について説明する。
【００２８】
図５を参照すると、乗算器１９，２０，２１，２２は入力信号を１タイムスロットだけ遅延させる遅延器である。乗算器（遅延器）１９，２０，２１，２２により順次遅延されたフィルタ入力信号３８は、加算器２３へ入力され、加算結果がフィルタ出力信号として出力される。
【００２９】
次に図１に示す本実施の形態の動作（マルチパイロットトーン検出方法）について説明する。
【００３０】
図１を参照すると、フィルタ１，２，３は、マルチパイロットトーン信号３２を構成する各パイロットトーン信号３０，…，３０を中心周波数とし、隣接するパイロットトーン信号３０は遮断するフィルタである。
【００３１】
フィルタ１，２，３により、マルチパイロットトーン信号３２を構成するパイロットトーン信号３０が分離され出力されるため、フィルタ１，２，３の出力信号には、帯域内で特定の周波数のパイロットトーン信号３０のみが存在する。
【００３２】
乗算器４，５，６は、フィルタ１，２，３の出力信号信号に正弦波信号を乗算し、乗算器４，５，６の入力信号を周波数軸上でシフトさせる。
【００３３】
フィルタ１，２，３の出力信号信号には、特性の周波数のパイロットトーン信号３０のみが存在するため、乗算器４，５により周波数軸上でのシフトを行った場合、所望の周波数へ移動する信号は、フィルタ１，２，３の出力信号信号であるパイロットトーン信号３０のみとなる。
【００３４】
乗算器４，５により同一周波数にシフトされたパイロットトーン信号３０は、加算器７に入力され、加算により単一のパイロットトーン信号３０が出力される。
【００３５】
次に図３に示す相関検出用フィルタ８の動作について説明する。図１を参照すると、乗算器４，５，６により周波数変換を行う場合、希望する周波数へ変換されたパイロットトーン信号３０に加え、高調波が発生する。加算器７による加算演算では高調波の削除は行われないため、フィルタにより削除する必要がある。
【００３６】
図３を参照すると、第１のフィルタ２４は、周波数変換されたパイロットトーン信号３０を中心周波数とするフィルタであり、乗算器４，５，６で発生した高調波の削除を行う。
【００３７】
第２のフィルタ２５の入力信号は、高調波を削除されたパイロットトーン信号３０であるため、パイロットトーン信号３０に整合したフィルタを用いることにより、相関検出を行うことができる。これは、第２のフィルタ２５のタップ係数ａ０，ａ１，ａ２，ａ３，ａ４を、周波数変換されたパイロットトーン信号３０に整合したフィルタのインパルス応答とすることにより実現される。
【００３８】
以上により、本実施の形態がマルチパイロットトーン信号３２の検出に使用するマルチパイロットトーン検出用フィルタ１００として動作することが分かる。
【００３９】
次に、図５に示す第２のフィルタ２５の動作について説明する。本実施の形態では、乗算器４，５，６により入力に乗算する正弦波信号の周波数を、フィルタ１，２，３により出力されるパイロットトーン信号３０の周波数に等しくした場合、周波数変換されたパイロットトーン信号３０は直流信号に変換される。直流信号は時間による波形の変動がないため、マルチパイロットトーン検出用フィルタ１００のタップ係数ａ０，ａ１，ａ２，ａ３，ａ４は同一の値となる。図５に示した実施の形態は、図４に示した実施の形態において、乗算器１３，１４，１５，１６，１７を削除した構成であり、図４に示した実施の形態においてタップ係数ａ０，ａ１，ａ２，ａ３，ａ４をすべて１とした場合に相当する。従って、乗算器４，５，６によりパイロットトーン信号３０を直流信号へ周波数変換した場合、図５に示す実施の形態により入力信号に対するマルチパイロットトーン検出用フィルタ１００が構成されることが分かる。
【００４０】
以上説明したように本発明によれば、マルチパイロットトーン信号３２検出のためのマルチパイロットトーン検出用フィルタ１００において、各パイロットトーン信号３０，…，３０を分離した後に周波数変換することにより、マルチパイロットトーン検出用フィルタ１００を共有化することができるようになり、その結果、回路規模削減を実現できるようになるといった効果を奏する。
【００４１】
特に、周波数変換を行う正弦波信号として各パイロットトーン信号３０，…，３０と同一の周波数を用いることにより、乗算器を使用せずにマルチパイロットトーン検出用フィルタ１００を構成することができるようになる。
【００４２】
なお、本発明が上記実施の形態に限定されず、本発明の技術思想の範囲内において、上記実施の形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００４３】
【発明の効果】
以上説明したように本発明によれば、マルチパイロットトーン信号検出のための整合フィルタにおいて、各パイロットトーン信号を分離した後に周波数変換することにより、整合フィルタを共有化することができるようになり、その結果、回路規模削減を実現できるようになるといった効果を奏する。
【００４４】
特に、周波数変換を行う正弦波信号として各パイロットトーン信号と同一の周波数を用いることにより、乗算器を使用せずに整合フィルタを構成することができるようになる。
【図面の簡単な説明】
【図１】本発明の一実施の形態に係るマルチパイロットトーン検出用フィルタを説明するための機能ブロック図である。
【図２】フレームフォーマットの一例である。
【図３】図１の相関検出用フィルタの一実施の形態を示す機能ブロック図である。
【図４】図３の第２のフィルタの一実施の形態を示す機能ブロック図である。
【図５】簡略化されたサブフィルタの一実施の形態を示す機能ブロック図である。
【符号の説明】
１，２，３…フィルタ
４，５，６…乗算器
７，２３…加算器
８…相関検出用フィルタ
９，１０，１１，１２…遅延器
１３，１４，１５，１６，１７，１９，２０，２１，２２…乗算器
２４…第１のフィルタ
２５…第２のフィルタ
３０…パイロットトーン信号
３２…マルチパイロットトーン信号
３４…プリアンブル
３６…データ
３８…フィルタ入力信号
１００…マルチパイロットトーン検出用フィルタ（整合フィルタ）
ａ０，ａ１，ａ２，ａ３，ａ４…タップ係数
【図１】
0003582453.tif 000002
【図２】
0003582453.tif 000003
【図３】
0003582453.tif 000004
【図４】
0003582453.tif 000005
【図５】
0003582453.tif 000006